(57)【要約】      （修正有）【課題】表示部の上縁部の周辺に表示されているスクロール対象を直感的に接触できる表示制御装置及び表示制御方法を提供する。【解決手段】表示制御装置は、表示面を含み、スクロール対象４０を表示する表示部と表示面２１への接触操作を検出するタッチパネルと制御部とを備える。スクロール対象４０の上端部４０Ａが表示面２１の上縁部２１Ａから離れるようにスクロール方向に向かって移動した場合、スクロール対象４０の上端部４０Ａが表示面２１の上縁部２１Ａに向かって規定位置まで移動するように、スクロール対象４０を制御し、スクロール対象４０の上端部４０Ａが規定位置まで移動した時から第１所定時間以内に、第２接触操作Ａ２が検出されたことに応答して、スクロール対象４０の上端部４０Ａが、表示面２１の上縁部２１Ａに対してスクロール方向に向かって離間位置まで移動し、停止するように、制御部は、スクロール対象４０を制御する。【選択図】図３
2017102530.tif 000002
【特許請求の範囲】
【請求項１】
上縁部と下縁部とを有する表示面を含み、上縁部を有するスクロール対象を表示する表示部と、
前記表示面への第１接触操作及び第２接触操作を検出する検出部と、
前記第１接触操作が検出されたことに応答して、前記スクロール対象が前記表示面の上縁部から下縁部に向かうスクロール方向にスクロールするように、前記スクロール対象を制御する制御部と
を備え、
スクロールによって前記スクロール対象の上端部が前記表示面の上縁部から離れるように前記スクロール方向に向かって移動した場合、前記スクロール対象の上端部が前記表示面の上縁部に向かって規定位置まで移動するように、前記制御部は、前記スクロール対象を制御し、
前記検出部は、前記スクロール対象の上端部が前記規定位置まで移動した時から第１所定時間以内に、前記第２接触操作を検出し、
前記検出部の検出に応答して、前記スクロール対象の上端部が、前記表示面の上縁部に対して前記スクロール方向に向かって離間した位置まで移動し、停止するように、前記制御部は、前記スクロール対象を制御する、表示制御装置。
【請求項２】
前記第１接触操作は、被検出物が前記表示面に接触しながら前記スクロール方向に移動する操作であり、
前記第２接触操作は、前記被検出物が前記表示面に接触しながら前記スクロール方向に移動する操作である、請求項１に記載の表示制御装置。
【請求項３】
前記スクロール対象は、少なくとも１つの操作子を含み、
前記スクロール対象の上端部が前記離間した位置で停止している場合、前記表示面の上縁部から最も離れて表示されている前記操作子は、前記表示面の下縁部に隣り合っている、請求項１または請求項２に記載の表示制御装置。
【請求項４】
前記少なくとも１つの操作子は複数であり、
前記スクロール対象の上端部が前記離間した位置で停止した時から、第２所定時間以内に、前記検出部が第３接触操作を検出したことに応答して、前記複数の操作子のうち、前記隣り合う操作子の上段に表示されている操作子が前記表示面の下縁部に隣り合うように、前記制御部は、前記スクロール対象を制御する、請求項３に記載の表示制御装置。
【請求項５】
前記スクロール対象の上端部が、前記表示面の上縁部に対して前記離間した位置で停止した時から、第３所定時間が経過した場合、前記スクロール対象の上端部が前記表示面の上縁部に向かって前記規定位置まで移動するように、前記制御部は、前記スクロール対象を制御する、請求項１から請求項４のいずれか１項に記載の表示制御装置。
【請求項６】
前記第３所定時間は、前記第１所定時間より長い、請求項５に記載の表示制御装置。
【請求項７】
前記スクロール対象は、少なくとも１つの操作子を含み、
前記表示面の上縁部から、前記表示面の上縁部の最も近くに表示されている前記操作子までの長さが所定値以上の場合、前記制御部は、前記第１所定時間以内に検出された前記第２接触操作に応答しない、請求項１から請求項６のいずれか１項に記載の表示制御装置。
【請求項８】
第１縁部と前記第１縁部に対向する第２縁部とを有する表示面を含み、スクロール対象を表示する表示部と、
前記表示面への第１接触操作及び第２接触操作を検出する検出部と、
前記第１接触操作が検出されたことに応答して、前記スクロール対象が前記表示面の第１縁部から第２縁部に向かうスクロール方向にスクロールするように、前記スクロール対象を制御する制御部と
を備え、
前記スクロール対象は、互いに対向する第１端部と第２端部とを有し、
前記第１端部は、前記スクロール方向において前記第２端部より上流に位置し、
スクロールによって前記スクロール対象の第１端部が前記表示面の第１縁部から離れるように前記スクロール方向に向かって移動した場合、前記スクロール対象の第１端部が前記表示面の第１縁部に向かって規定位置まで移動するように、前記制御部は、前記スクロール対象を制御し、
前記検出部は、前記スクロール対象の第１端部が前記規定位置まで移動した時から所定時間以内に、前記第２接触操作を検出し、
前記検出部の検出に応答して、前記スクロール対象の第１端部が、前記表示面の第１縁部に対して前記スクロール方向に向かって離間した位置まで移動し、停止するように、前記制御部は、前記スクロール対象を制御する、表示制御装置。
【請求項９】
上縁部と下縁部とを有する表示面を含み、上端部を有するスクロール対象を表示する表示部を備える表示制御装置が実行する表示制御方法であって、
前記表示面への第１接触操作及び第２接触操作を検出する手順と、
前記第１接触操作が検出されたことに応答して、前記スクロール対象が前記表示面の上縁部から下縁部に向かうスクロール方向にスクロールするように、前記スクロール対象を制御する手順と、
スクロールによって前記スクロール対象の上端部が前記表示面の上縁部から離れるように前記スクロール方向に向かって移動した場合、前記スクロール対象の上端部が前記表示面の上縁部に向かって規定位置まで移動するように、前記スクロール対象を制御する手順と、
前記スクロール対象の上端部が前記規定位置まで移動した時から所定時間以内に、前記第２接触操作を検出する手順と、
前記検出に応答して、前記スクロール対象の上端部が、前記表示面の上縁部に対して前記スクロール方向に向かって離間した位置まで移動し、停止するように、前記スクロール対象を制御する手順と
を含む、表示制御方法。
【発明の詳細な説明】
【技術分野】
【０００１】
本発明は、表示制御装置及び表示制御方法に関する。
【背景技術】
【０００２】
近年、スマートフォン又はタブレットＰＣ（Ｐｅｒｓｏｎａｌ  Ｃｏｍｐｕｔｅｒ）のようなタッチパネルを搭載した装置が増えている。タッチパネルを搭載した装置では、ユーザーは、画面（表示部）を接触して装置を操作する。タッチパネルを搭載した装置を片手のみで操作するために、ユーザーは、親指を除く４本の指と手の平で装置筐体を支え、親指で画面を接触して操作する場合がある。このとき、装置の上縁の周辺に親指が届きにくい場合がある。
【０００３】
そこで、特許文献１に記載の入力装置は、表示部にマークを表示する。マークが接触されると、表示部に表示されていた元の画面と同一の画面が生成される。生成された同一の画面を表示部の一端から一定量離れた位置に表示させることで、装置筐体を支える手の平の位置を変えずに元の画面の上縁周辺を接触できる。
【先行技術文献】
【特許文献】
【０００４】
【特許文献１】特開２０１０−１４６９６号公報
【発明の概要】
【発明が解決しようとする課題】
【０００５】
しかしながら、特許文献１に記載の入力装置では、ユーザーは、マークを探して押下する必要がある。
【０００６】
本発明は上記課題に鑑みてなされたものであり、表示部の上縁部の周辺に表示されているスクロール対象を直感的に接触できる表示制御装置及び表示制御方法を提供することを目的とする。
【課題を解決するための手段】
【０００７】
本発明の第１の観点によれば、表示制御装置は、表示部と、検出部と、制御部とを備える。表示部は、上縁部と下縁部とを有する表示面を含み、上端部を有するスクロール対象を表示する。検出部は、前記表示面への第１接触操作及び第２接触操作を検出する。制御部は、前記第１接触操作が検出されたことに応答して、前記スクロール対象が前記表示面の上縁部から下縁部に向かうスクロール方向にスクロールするように、前記スクロール対象を制御する。スクロールによって前記スクロール対象の上端部が前記表示面の上縁部から離れるように前記スクロール方向に向かって移動した場合、前記スクロール対象の上端部が前記表示面の上縁部に向かって規定位置まで移動するように、前記制御部は、前記スクロール対象を制御する。前記検出部は、前記スクロール対象の上端部が前記規定位置まで移動した時から第１所定時間以内に、前記第２接触操作を検出する。前記検出部の検出に応答して、前記スクロール対象の上端部が、前記表示面の上縁部に対して前記スクロール方向に向かって離間した位置まで移動し、停止するように、前記制御部は、前記スクロール対象を制御する。
【０００８】
本発明の第２の観点によれば、表示制御装置は、表示部と、検出部と、制御部とを備える。表示部は、第１縁部と前記第１縁部に対向する第２縁部とを有する表示面を含み、スクロール対象を表示する。検出部は、前記表示面への第１接触操作及び第２接触操作を検出する。制御部は、前記第１接触操作が検出されたことに応答して、前記スクロール対象が前記表示面の第１縁部から第２縁部に向かうスクロール方向にスクロールするように、前記スクロール対象を制御する。前記スクロール対象は、互いに対向する第１端部と第２端部とを有する。前記第１端部は、前記スクロール方向において前記第２端部より上流に位置する。スクロールによって前記スクロール対象の第１端部が前記表示面の第１縁部から離れるように前記スクロール方向に向かって移動した場合、前記スクロール対象の第１端部が前記表示面の第１縁部に向かって規定位置まで移動するように、前記制御部は、前記スクロール対象を制御する。前記検出部は、前記スクロール対象の第１端部が前記規定位置まで移動した時から所定時間以内に、前記第２接触操作を検出する。前記検出部の検出に応答して、前記スクロール対象の第１端部が、前記表示面の第１縁部に対して前記スクロール方向に向かって離間した位置まで移動し、停止するように、前記制御部は、前記スクロール対象を制御する。
【０００９】
本発明の第３の観点によれば、表示制御方法は、上縁部と下縁部とを有する表示面を含み、上端部を有するスクロール対象を表示する表示部を備える表示制御装置に実行される。表示制御方法は、前記表示面への第１接触操作及び第２接触操作を検出する手順と、前記第１接触操作が検出されたことに応答して、前記スクロール対象が前記表示面の上縁部から下縁部に向かうスクロール方向にスクロールするように、前記スクロール対象を制御する手順と、スクロールによって前記スクロール対象の上端部が前記表示面の上縁部から離れるように前記スクロール方向に向かって移動した場合、前記スクロール対象の上端部が前記表示面の上縁部に向かって規定位置まで移動するように、前記スクロール対象を制御する手順と、前記スクロール対象の上端部が前記規定位置まで移動した時から所定時間以内に、前記第２接触操作を検出する手順と、前記検出に応答して、前記スクロール対象の上端部が、前記表示面の上縁部に対して前記スクロール方向に向かって離間した位置まで移動し、停止するように、前記スクロール対象を制御する手順とを含む。
【発明の効果】
【００１０】
本発明によれば、表示部の上縁部の周辺に表示されているスクロール対象を直感的に接触できる。
【図面の簡単な説明】
【００１１】
【図１】本発明の実施形態１に係る表示装置を示すブロック図である。
【図２】（ａ）〜（ｃ）本発明の実施形態１に係る表示制御装置が実行するスクロール制御の前段を示す図である。
【図３】（ａ）（ｂ）本発明の実施形態１に係る表示制御装置が実行するスクロール制御の後段を示す図である。
【図４】表示部に表示される操作子の位置を説明する図である。
【図５】（ａ）〜（ｃ）表示部に表示されるスクロール対象の上縁部の離間位置について説明する図である。
【図６】本発明の実施形態１に係る表示制御装置が実行するスクロール制御を示すフローチャートである。
【図７】（ａ）〜（ｃ）本発明の実施形態２に係る表示制御装置が実行するスクロール制御の前段を説明する図である。
【図８】（ａ）（ｂ）本発明の実施形態２に係る表示制御装置が実行するスクロール制御の後段を説明する図である。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１３】
（実施形態１）
図１及び図２（ａ）を参照して、本発明の実施形態１に係る表示制御装置１について説明する。図１は、表示制御装置１を示すブロック図である。図２（ａ）は、表示制御装置１が備える表示部２０を示す。表示制御装置１は、例えば、スマートフォン又はタブレットＰＣ（Ｐｅｒｓｏｎａｌ  Ｃｏｍｐｕｔｅｒ）である。
【００１４】
表示制御装置１は、制御部１０と、表示部２０と、検出部としてのタッチパネル３０とを備える。制御部１０は、ＣＰＵ（Ｃｅｎｔｒａｌ  Ｐｒｏｃｅｓｓｉｎｇ  Ｕｎｉｔ）と主記憶装置（例えば、半導体メモリー）とを含む。制御部１０は、ＣＰＵが、主記憶装置に格納された制御プログラムを実行することによって各種機能部として機能する。
【００１５】
表示部２０は、表示面２１を含む。表示面２１は、上縁部２１Ａと、上縁部２１Ａに対向する下縁部２１Ｂとを有する。表示部２０は、スクロール対象４０を表示する。スクロール対象４０は、上端部４０Ａと下端部４０Ｂとを有する。スクロール対象４０は、少なくとも１つの操作子を含む場合がある。本実施形態において、スクロール対象４０は、操作子としての複数のアイコン４１及び複数のアイコン４２を含む。複数のアイコン４１及び複数のアイコン４２のそれぞれには、表示制御装置１が実行する処理又はアプリケーションが関連付けられている。
【００１６】
タッチパネル３０は、表示部２０の表示面２１への被検出物Ｆによる接触操作を検出する。本実施形態において、被検出物Ｆは、表示制御装置１を操作するユーザーの指である。なお、被検出物Ｆは、タッチペンであってもよい。表示面２１のうち操作子に対応する位置への接触を検出すると、表示制御装置１は、操作子に関連づけられた処理又はアプリケーションを実行する。
【００１７】
次に、図１〜図３を参照して、表示制御装置１が実行するスクロール制御について説明する。図２（ａ）〜図２（ｃ）は、表示制御装置１が実行するスクロール制御の前段を示す。図３（ａ）及び図３（ｂ）は、表示制御装置１が実行するスクロール制御の後段を示す。
【００１８】
図２（ａ）に示すように、タッチパネル３０は、表示面２１への第１接触操作Ａ１を検出する。第１接触操作Ａ１は、被検出物Ｆが表示面２１に接触しながら表示面２１の上縁部２１Ａから下縁部２１Ｂに向かう方向に移動する操作である。以下、本実施形態において、表示面２１の上縁部２１Ａから下縁部２１Ｂに向かう方向を、スクロール方向と記載する。第１接触操作Ａ１は、例えば、被検出物Ｆによる表示面２１へのスライド操作、スクロール操作、又はスワイプ操作である。
【００１９】
図２（ｂ）に示すように、制御部１０は、タッチパネル３０が第１接触操作Ａ１を検出したことに応答して、スクロール対象４０がスクロール方向にスクロールするように、スクロール対象４０を制御する。本実施形態では、スクロールによってスクロール対象４０の上端部４０Ａが表示面２１の上縁部２１Ａから離れるようにスクロール方向に向かって移動している。
【００２０】
スクロール対象４０の上端部４０Ａが表示面２１の上端部４０Ａから離れるようにスクロ−ル方向に向かって移動した場合、図２（ｃ）に示すように、スクロール対象４０の上端部４０Ａが表示面２１の上縁部２１Ａに向かって規定位置まで移動するように、制御部１０は、スクロール対象４０を制御する。規定位置とは、例えば、スクロール対象４０が表示部２０に最初に表示されたときのスクロール対象４０の位置である。すなわち、スクロール対象４０は、スクロール方向と反対の方向に向かって移動するように制御される。本実施形態において、規定位置は、スクロール対象４０の上端部４０Ａが表示面２１の上縁部２１Ａに重なり合うような位置である。
【００２１】
具体的には、スクロール対象４０の上端部４０Ａが表示面２１の上縁部２１Ａから離れるようにスクロール方向に向かって移動するように制御された場合、スクロール対象４０は、スクロール方向と反対の方向に向かって跳ね返るように制御される。
【００２２】
ここで、スクロール対象４０の上端部４０Ａの規定位置は、スクロール方向において、表示面２１の上縁部２１Ａより上の位置であってもよいし、表示面２１の上縁部２１Ａより下の位置であってもよい。また、表示面２１の上縁部２１Ａに重なり合うような位置であってもよい。
【００２３】
図３（ａ）に示すように、スクロール対象４０の上端部４０Ａが規定位置まで移動した時から第１所定時間以内に、タッチパネル３０は、第２接触操作Ａ２を検出する。第１所定時間は、ユーザーによって任意に設定される。第１所定時間は、例えば２秒である。
【００２４】
本実施形態において、第２接触操作Ａ２は、被検出物Ｆが表示面２１に接触しながらスクロール方向に移動する操作である。具体的には、第２接触操作Ａ２は、被検出物が表示面２１に接触しながら表示面２１の上縁部２１Ａから下縁部２１Ｂに移動する操作である。第２接触操作Ａ２は、例えば、被検出物Ｆによる表示面２１へのスライド操作、スクロール操作、又はスワイプ操作である。
【００２５】
図３（ｂ）に示すように、タッチパネル３０がスクロール対象４０の上端部４０Ａが規定位置まで移動した時から第１所定時間以内に、第２接触操作Ａ２を検出したことに応答して、スクロール対象４０の上端部４０Ａが、離間位置まで移動し、停止するように、制御部１０は、スクロール対象４０を制御する。本実施形態において、離間位置とは、スクロール対象４０の上端部４０Ａが、表示面２１の上縁部２１Ａに対してスクロール方向に向かって離間した位置のことである。本実施形態において、スクロール対象４０の上端部４０Ａは、表示面２１の上縁部２１Ａから長さＬ２離れた位置まで移動し、停止するように制御される。すなわち、離間位置は、表示面２１の上縁部２１Ａから長さＬ２離れた位置である。長さＬ２は、任意の値である。例えば、長さＬ２は、表示面２１のスクロール方向に沿った長さの３分の１の長さである。
【００２６】
スクロール対象４０の上端部４０Ａが、離間位置で停止した時から、第３所定時間が経過した場合、スクロール対象４０の上端部４０Ａが表示面２１の上縁部２１Ａに向かって規定位置まで移動するように、制御部１０は、スクロール対象４０を制御する。すなわち、スクロール対象４０の上端部４０Ａが、離間位置で停止した時から、第３所定時間が経過した場合、図２（ｃ）に示すように、スクロール対象４０の上端部４０Ａは、規定位置に戻る。第３所定時間は、ユーザーによって任意に設定される。第３所定時間は、例えば５秒である。ここで、第３所定時間は、第１所定時間より長い。
【００２７】
本実施形態によれば、表示面２１への接触操作に応答して、スクロール対象４０の上端部４０Ａが、離間位置まで移動し、停止する。従って、ユーザーが片手で表示制御装置１を操作する場合、手の平の位置を変えずにスクロール対象４０の上端部４０Ａ周辺に表示されているスクロール対象４０に接触できる。ユーザーは、片手で表示制御装置１を操作する場合、片手の親指を除く４本の指と手の平とで表示制御装置１を支え、被検出物Ｆとしての親指で表示面２１を接触する。その結果、片手の位置を維持しつつ、直感的な操作で、表示部２０の上縁部２１Ａの周辺に表示されたスクロール対象４０に接触できる。
【００２８】
また、本実施形態によれば、スクロール対象４０の上端部４０Ａが、離間位置で停止した時から、第３所定時間が経過した場合、スクロール対象４０の上端部４０Ａが表示面２１の上縁部２１Ａに向かって規定位置まで移動する。従って、表示面２１への接触が検出されない場合、スクロール対象４０の上端部４０Ａは、自動的に、規定位置に戻る。その結果、スクロールによって移動したスクロール対象４０への操作を中止する場合、ユーザーは、表示面２１を接触せずにスクロール対象４０を規定位置に戻すことができる。
【００２９】
次に、図４を参照して、第１所定時間内に検出された第２接触操作Ａ２に制御部１０が応答しない場合について説明する。図４は、表示面２１の上縁部２１Ａからスクロール対象４０に含まれる操作子までの長さを説明する図である。本実施形態において、スクロール対象４０は、複数のアイコン４１及び複数のアイコン４２を含む。
【００３０】
本実施形態において、長さＬ４は、表示面２１の上縁部２１Ａから、表示面２１の下縁部２１Ｂまでの長さを示す。また、長さＬ５は、表示面２１の上縁部２１Ａから、表示面２１の上縁部２１Ａの最も近くに表示されているアイコン４１の上縁部までの長さを示す。長さＬ４は、長さＬ５より長い。また、長さＬ５は、長さＬ４の半分以上の値である。なお、長さＬ５は、表示面２１の上縁部２１Ａから、アイコン４１の中心までの長さを示してもよいし、アイコン４１の下縁部までの長さを示してもよい。
【００３１】
長さＬ５が所定値以上の場合、制御部１０は、第１所定時間以内に検出された第２接触操作Ａ２に応答しない。所定値は、ユーザーが任意に設定できる。例えば、所定値が長さＬ４の半分の値である場合、長さＬ５が長さＬ４の半分の値以上であれば、制御部１０は、第１所定時間以内に検出された第２接触操作Ａ２に応答しない。すなわち、表示面２１の上縁部２１Ａの周辺に操作子が存在しない場合、スクロール対象４０の上端部４０Ａが、離間位置で停止しないように、スクロール対象４０は制御される。このとき、スクロール対象４０の上端部４０Ａが規定位置まで移動するように、スクロール対象４０は制御される。
【００３２】
一方、長さＬ５が長さＬ４の半分の値未満であれば、制御部１０は、第１所定時間以内に検出された第２接触操作Ａ２に応答する。すなわち、表示面２１の上縁部２１Ａの周辺に操作子が存在する場合、スクロール対象４０の上端部４０Ａが、離間位置で停止するように、スクロール対象４０は制御される。
【００３３】
本実施形態によれば、表示面２１の上縁部２１Ａから、表示面２１の上縁部２１Ａの最も近くに表示されている操作子までの長さが所定値以上の場合、制御部１０は、第１所定時間以内に検出された第２接触操作Ａ２に応答しない。従って、スクロール対象４０のうちユーザーの指が届きにくい領域に操作子が存在しない場合には、制御部１０は、第１所定時間以内に検出された第２接触操作Ａ２に応答しない。その結果、スクロール対象４０の上端部４０Ａが離間位置で不要に停止することを防止できる。
【００３４】
次に、図５（ａ）〜図５（ｃ）を参照して、スクロール対象４０の上端部４０Ａの離間位置について詳細に説明する。図５（ａ）〜図５（ｃ）は、スクロール対象４０の上端部４０Ａの離間位置について説明する図である。本実施形態において、スクロール対象４０は、複数のアイコン４１、複数のアイコン４２、及び複数のアイコン４３を含む。複数のアイコン４１は、表示面２１の上縁部２１Ａの最も近くの段に表示されている。複数のアイコン４３は、表示面２１の上縁部２１Ａから最も離れた段に表示されている。複数のアイコン４２は、複数のアイコン４１を表示する段と複数のアイコン４３を表示する段との間に位置する段に表示されている。複数のアイコン４１、複数のアイコン４２、及び複数のアイコン４３の各々が位置する段は、表示面２１の上縁部２１Ａに平行である。
【００３５】
図５（ａ）に示すスクロール対象４０は、スクロール対象４０の上端部４０Ａが規定位置まで移動した状態である。タッチパネル３０は、第１所定時間以内に、第２接触操作Ａ２を検出する。
【００３６】
図５（ｂ）に示すように、スクロール対象４０の上端部４０Ａが、離間位置まで移動し、停止するように、制御部１０は、スクロール対象４０を制御する。スクロール対象４０の上端部４０Ａが、離間位置で停止している場合、表示面２１の上縁部２１Ａから最も離れた段に表示されているアイコン４３は、表示面２１の下縁部２１Ｂに隣り合っている。
【００３７】
スクロール対象４０の上端部４０Ａが離間位置で停止した時から、第２所定時間以内に、タッチパネル３０は、第３接触操作Ａ３を検出する。第２所定時間は、ユーザーが任意に設定できる。第２所定時間は、例えば、３秒である。第３接触操作Ａ３は、被検出物Ｆが表示面２１に接触しながらスクロール方向に移動する操作である。第３接触操作Ａ３は、例えば、被検出物が表示面２１に接触しながら表示面２１の上縁部２１Ａから下縁部２１Ｂに移動する操作である。第３接触操作Ａ３は、例えば、被検出物による表示面２１へのスライド操作、スクロール操作、又は、スワイプ操作である。第２所定時間は、第１所定時間よりも長く、第３所定時間よりも短い。
【００３８】
図５（ｃ）に示すように、スクロール対象４０の上端部４０Ａが離間位置で停止した時から、第２所定時間以内に、タッチパネル３０が第３接触操作Ａ３を検出したことに応答して、制御部１０は、スクロール対象４０を制御する。具体的には、複数のアイコン４２が表示面２１の下縁部２１Ｂに隣り合うように、制御部１０は、スクロール対象４０を制御する。複数のアイコン４２は、複数のアイコン４３の上段に表示される。第３接触操作Ａ３が検出される前には、複数のアイコン４３は、表示面２１の下縁部２１Ｂに隣り合っていた。
【００３９】
本実施形態によれば、表示面２１の上縁部２１Ａから最も離れて表示されているアイコン４３が、表示面２１の下縁部２１Ｂに隣り合うように、スクロール対象４０は制御される。従って、スクロール対象４０に含まれ、表示部２０に表示されている全ての操作子が表示面２１の下縁部２１Ｂに近づくように移動する。その結果、スクロール対象４０に含まれ、表示部２０に表示されている全ての操作子に指が届きやすくなり、表示制御装置１の操作性が向上する。
【００４０】
また、本実施形態によれば、第３接触操作Ａ３に応答して、スクロール対象４０に含まれる操作子のうち、表示面２１の下縁部２１Ｂに隣り合う操作子の１段上段に表示されている操作子が表示面２１の下縁部２１Ｂに隣り合うように、スクロール対象４０は制御される。従って、ユーザーは、被検出物Ｆで表示面２１を接触するだけで徐々（１段ずつ）に操作子を表示面２１の下縁部２１Ｂに近づけることができる。その結果、表示部２０に表示されている操作子に対してさらに指が届きやすくなり、表示制御装置１の操作性が向上する。
【００４１】
次に、図６を参照して、表示制御装置１が実行するスクロール制御について説明する。図６は、スクロール制御を示すフローチャートである。表示制御装置１は、ステップＳ１０〜ステップＳ６０を実行することによって、スクロール対象４０の上端部４０Ａを、表示面２１の上縁部２１Ａから離れた位置に移動させ、停止するように、スクロール対象４０を制御できる。
【００４２】
ステップＳ１０において、表示部２０は、スクロール対象４０を表示する。ステップＳ２０において、タッチパネル３０は、被検出物Ｆが表示部２０の表示面２１に接触しながらスクロール方向に移動する第１接触操作Ａ１を検出する。ステップＳ３０において、ステップＳ２０で検出された第１接触操作Ａ１に応答して、スクロール対象４０の上端部４０Ａが表示面２１の上縁部２１Ａから離れるようにスクロール方向に向かって移動する。
【００４３】
ステップＳ４０において、スクロール対象４０の上端部４０Ａが規定位置まで移動するように、スクロール対象４０は制御される。ステップＳ５０において、タッチパネル３０は、スクロール対象４０の上端部４０Ａが規定位置まで移動してから所定時間以内に第２接触操作Ａ２を検出する。ステップＳ６０において、ステップＳ５０で検出された第２接触操作Ａ２に応答して、スクロール対象４０の上端部４０Ａが離間位置まで、移動し、停止するように、スクロール対象４０が制御される。
【００４４】
以上、図１〜図６を参照して説明したように、本実施形態によれば、スクロール対象４０の上端部４０Ａが、離間位置まで移動し、停止する。従って、ユーザーが片手で表示制御装置１を支え、親指で表示面２１を接触して表示制御装置１を操作する場合、手の位置を変えることなく上端部４０Ａ周辺に表示されているスクロール対象４０に接触できる。例えば、親指を除く４本の指と手の平とで表示制御装置１を支え、親指で表示面２１を接触することで、ユーザーは、片手で表示制御装置１を操作する。その結果、表示制御装置１を操作するときの操作性を向上できる。
【００４５】
また、本実施形態によれば、第１接触操作Ａ１と第２接触操作Ａ２とは、被検出物Ｆによる表示面２１への操作が同様である。従って、ユーザーは、スクロールする操作と同様に表示面２１を接触することでスクロール対象４０の上端部４０Ａが表示面２１の上縁部２１Ａから離れた位置でスクロール対象４０を停止できる。その結果、直感的な操作で、表示面２１の上縁部２１Ａの周辺に表示されているスクロール対象４０を接触できる。
【００４６】
（実施形態２）
次に、図１、図７及び図８を参照して、本発明の実施形態２に係る表示制御装置１について説明する。図７（ａ）〜図７（ｃ）は、スクロール制御の前段を説明する図である。図８（ａ）及び図８（ｂ）は、スクロール制御の後段を説明する図である。
【００４７】
図７（ａ）に示すように、タッチパネル３０は、表示面２１への第１接触操作Ａ１を検出する。第１接触操作Ａ１は、被検出物Ｆが表示面２１に接触しながら表示面２１の第１縁部としての下縁部２１Ｂから、第２縁部としての上縁部２１Ａに向かう方向に移動する操作である。スクロール対象４０は、第１端部としての上端部４０Ａと、第２端部としての下端部４０Ｂとを有する。上端部４０Ａと下端部４０Ｂとは、互いに対向する。上端部４０Ａは、スクロール方向において下端部４０Ｂより上流に位置する。本実施形態において、スクロール方向は、表示面２１の下縁部２１Ｂから上縁部２１Ａに向かう方向である。
【００４８】
図７（ｂ）に示すように、タッチパネル３０が第１接触操作Ａ１を検出したことに応答して、スクロール対象４０がスクロール方向にスクロールするように、制御部１０は、スクロール対象４０を制御する。本実施形態では、スクロールによってスクロール対象４０の下端部４０Ｂが表示面２１の下縁部２１Ｂから離れるようにスクロール方向に向かって移動している。
【００４９】
図７（ｃ）に示すように、スクロール対象４０の下端部４０Ｂが表示面２１の下縁部２１Ｂから離れるようにスクロ−ル方向に向かって移動した場合、スクロール対象４０の下端部４０Ｂが規定位置まで移動するように、制御部１０は、スクロール対象４０を制御する。このとき、スクロール対象４０の下端部４０Ｂは、表示面２１の下縁部２１Ｂに向かって移動する。すなわち、スクロール対象４０は、スクロール方向と反対の方向に向かって移動するように制御される。
【００５０】
具体的には、スクロール対象４０の下端部４０Ｂが表示面２１の下縁部２１Ｂから離れるようにスクロール方向に向かって移動した場合、スクロール対象４０は、スクロール方向と反対の方向に向かって跳ね返るように移動する。
【００５１】
図８（ａ）に示すように、スクロール対象４０の下端部４０Ｂが規定位置まで移動した時から第１所定時間以内に、タッチパネル３０は、第２接触操作Ａ２を検出する。第２接触操作Ａ２は、被検出物Ｆが表示面２１に接触しながらスクロール方向に移動する操作である。第２接触操作Ａ２は、例えば、被検出物が表示面２１に接触しながら表示面２１の下縁部２１Ｂから上縁部２１Ａに移動する操作である。第２接触操作Ａ２は、例えば、被検出物による表示面２１へのスライド操作、スクロール操作、又はスワイプ操作である。
【００５２】
図８（ｂ）に示すように、スクロール対象４０の下端部４０Ｂが規定位置まで移動した時から第１所定時間以内に、第２接触操作Ａ２が検出されたことに応答して、スクロール対象４０の下端部４０Ｂが、離間位置まで移動し、停止するように、制御部１０は、スクロール対象４０を制御する。本実施形態において、離間位置とは、スクロール対象４０の下端部４０Ｂが、表示面２１の下縁部２１Ｂに対してスクロール方向に向かって離間した位置のことである。本実施形態において、スクロール対象４０の下端部４０Ｂは、表示面２１の下縁部２１Ｂから長さＬ２離れた位置まで移動し、停止する。
【００５３】
以上、図１、図７、及び図８を参照して説明したように、本実施形態によれば、スクロール対象４０の下端部４０Ｂが離間位置まで移動し、停止する。従って、例えば、ユーザーが表示制御装置１を上下反対にして片手で操作する場合、下端部４０Ｂ周辺に表示されたスクロール対象４０を接触できる。その結果、表示制御装置１を操作する場合の操作性を向上できる。
【００５４】
以上、図１〜図８を参照して実施形態１及び実施形態２について説明した。ただし、本発明は、上記の実施形態に限られるものではなく、その要旨を逸脱しない範囲で種々の態様において実施することが可能であり、例えば、以下のような変形も可能である（例えば、下記に示す（１）〜（８））。
【００５５】
（１）図２（ａ）を参照して説明したように、スクロール対象４０は、複数のアイコン４１及び複数のアイコン４２を含んだ。ただし、スクロール対象４０は、複数のアイコン４１及び／又は複数のアイコン４２を含まなくてもよい。また、スクロール対象４０は単数のアイコン４１又は単数のアイコン４２であってもよい。
【００５６】
（２）図２及び図３を参照して説明したように、第１接触操作Ａ１と第２接触操作Ａ２とは、同様の操作であった。ただし、第１接触操作Ａ１と第２接触操作Ａ２とは、異なる操作であってもよい。例えば、第１接触操作Ａ１は、被検出物Ｆによるスクロール方向に移動するスライド操作であり、第２接触操作Ａ２は、被検出物Ｆによるスワイプ操作であってもよい。
【００５７】
（３）図２、図３、及び図５を参照して説明したように、第１接触操作Ａ１、第２接触操作Ａ２及び第３接触操作Ａ３は、被検出物Ｆが表示面２１に接触しながら移動する操作であった。ただし、第１接触操作Ａ１、第２接触操作Ａ２及び第３接触操作Ａ３は、被検出物Ｆが表示面２１に接触した状態を維持して移動しない操作あってもよい。また、第１接触操作Ａ１、第２接触操作Ａ２及び第３接触操作Ａ３は、被検出物Ｆが表示面２１を繰り返し接触する操作であってもよい。被検出物Ｆが表示面２１を繰り返し接触する操作は、例えば、タップ操作、又はダブルタップ操作である。
【００５８】
（４）図３〜図５を参照して説明したように、第１接触操作Ａ１と第２接触操作Ａ２と第３接触操作Ａ３とは、被検出物Ｆによる同様の操作であった。ただし、第１接触操作Ａ１と第２接触操作Ａ２と第３接触操作Ａ３とは、互いに異なる操作であってもよい。
【００５９】
（５）図５を参照して説明したように、第３接触操作Ａ３が検出されることに応答して、表示面２１の下縁部２１Ｂに隣り合うように表示された操作子の上段の操作子が表示面２１の下縁部２１Ｂに隣り合うように、スクロール対象４０は制御された。ただし、第３接触操作Ａ３が検出されることに応答して、表示面２１の下縁部２１Ｂに隣り合うように表示された操作子の上段のさらに上段（２段上段）に表示されている操作子が表示面２１の下縁部２１Ｂに隣り合うように、スクロール対象４０が制御されてもよい。
【００６０】
（６）図２及び図３を参照して説明したように、第３所定時間は、第１所定時間より長く、第２所定時間より長かった。ただし、第１所定時間と第２所定時間と第３所定時間とは、同じ時間であってもよい。また、第１所定時間は、第３所定時間より長くてもよいし、第２所定時間より長くてもよい。さらに、第２所定時間は、第３所定時間より長くてもよい。
【００６１】
（７）図２を参照して説明したように、規定位置は、スクロール対象４０が表示部２０に最初に表示されたときのスクロール対象４０の位置であった。ただし、規定位置は、スクロール対象４０が表示部２０に最初に表示されたときのスクロール対象４０の位置からずれた位置であってもよい。
【００６２】
（８）図２を参照して説明したように、スクロール対象４０は、操作子としてアイコン４１及びアイコン４２を含んだ。ただし、スクロール対象４０は、アイコン４１及びアイコン４２に代えてハイパーリンクであってもよい。
【００６３】
（９）図１〜図８を参照して説明したように、スクロール対象４０の上端部４０Ａが、上下方向に沿ったスクロール方向に向かって離間位置まで移動し、停止するように、スクロール対象４０は制御された。ただし、スクロール対象４０は、左右方向に沿ってスクロールされてもよい。例えば、スクロール対象４０が表示面２１の左縁部から右縁部に向かうスクロール方向にスクロールされ、スクロール対象４０の左縁部が、表示面の左縁部に対してスクロール方向に向かって離間した位置まで移動し、停止してもよい。また、スクロール対象４０が表示面２１の右縁部から左縁部に向かうスクロール方向にスクロールされ、スクロール対象４０の右縁部が、表示面の右縁部に対してスクロール方向に向かって離間した位置まで移動し、停止してもよい。
【００６４】
（１０）図２を参照して説明したように、スクロール対象４０が含む複数のアイコン４１及び複数のアイコン４２は、整列していた。ただし、複数のアイコン４１及び／又は複数のアイコン４２は、無作為に配置されていてもよい。また、図５を参照して説明した複数のアイコン４３についても、無作為に配置されていてもよい。
【００６５】
本変形例によれば、ユーザーが、右手だけで表示制御装置１を操作する場合、表示面２１の左縁部周辺のスクロール対象４０を接触しやすくなる。また、ユーザーが、例えば左手だけで表示制御装置１を操作する場合、表示面２１の右縁部周辺のスクロール対象４０を接触しやすくなる。
【産業上の利用可能性】
【００６６】
本発明は、表示制御装置及び表示制御方法の分野に利用可能である。
【符号の説明】
【００６７】
１      表示制御装置
１０    制御部
２０    表示部
２１    表示面
２１Ａ  上縁部
２１Ｂ  下縁部
３０    タッチパネル
４０    スクロール対象
４０Ａ  上端部
４０Ｂ  下端部
Ａ１    第１接触操作
Ａ２    第２接触操作
【図１】
2017102530.tif 000003
【図２】
2017102530.tif 000004
【図３】
2017102530.tif 000005
【図４】
2017102530.tif 000006
【図５】
2017102530.tif 000007
【図６】
2017102530.tif 000008
【図７】
2017102530.tif 000009
【図８】
2017102530.tif 000010